(57)【要約】【課題】  使用者が選択する機能や選択された機能の展開に応じてタッチパネルディスプレイ上に様々に表示・配置されてくる入力操作用のボタンの位置や形状や数がどのように変化しても、使用者の操作感の向上や誤操作の防止を常に、確実に、容易に可能にすることができる、タッチパネルディスプレイ用の入力操作補助具を提供する。【解決手段】  情報機器端末１が備えるタッチパネルディスプレイ２上の様々な位置に、様々な形状で画面表示される少なくとも１個以上の入力操作用のボタン３の操作を補助するために使用されるタッチパネルディスプレイ用の入力操作補助具４が、ボタン３の形状に合った形状に形成され、ボタン３の位置に着脱可能に貼着される少なくとも１個以上のボタン状シール４から構成されている。このボタン状シール４は、透明な弱粘着シート素材からなっている。【選択図】  図３
0003153606.tif 000002
【実用新案登録請求の範囲】
【請求項１】
情報機器端末が備えるタッチパネルディスプレイ上の様々な位置に、様々な形状で画面表示される少なくとも１個以上の入力操作用のボタンの操作を補助するために使用されるタッチパネルディスプレイ用の入力操作補助具であって、
前記ボタンの形状に合った形状に形成され、前記ボタンの位置に着脱可能に貼着される少なくとも１個以上のボタン状シールからなる
ことを特徴とするタッチパネルディスプレイ用の入力操作補助具。
【請求項２】
前記ボタン状シールは、透明な弱粘着シート素材からなることを特徴とする請求項１に記載のタッチパネルディスプレイ用の入力操作補助具。
【考案の詳細な説明】
【技術分野】
【０００１】
本願の考案は、タッチパネルディスプレイ用の入力操作補助具に関し、特に情報機器端末の使用者がタッチパネルディスプレイに対して入力操作を行うに際して、使用者の操作感を向上させ、誤操作の防止を図ったタッチパネルディスプレイ用の入力操作補助具に関する。
【背景技術】
【０００２】
近年、タッチパネルディスプレイは、携帯型情報機器端末においても急速にその採用が進んでおり、使用者は、タッチパネルディスプレイ上に画面表示された入力操作用のボタンを指で操作することにより入力を行って、電話、メール、インターネット、カメラ、テレビ、音楽、動画、ゲーム等の各種の機能を種々に選択して利用することができるようになってきている。
【０００３】
ところで、このような携帯型情報機器端末においては、従来、タッチパネルディスプレイ上に画面表示された入力操作用のボタンを使用者が指で操作するに際して、ボタンを指で触った感触や指で動かした感触が十分に得られず、操作感が非常に悪いといった問題があった。また、これが原因となって、誤操作を生じ易いという問題があった。
【０００４】
そこで、このような問題を解決するために、従来は、タッチパネルディスプレイ上の入力操作位置に特別のボタン（補助ボタン）を設置したり（特許文献１）、タッチパネルディスプレイ上の入力操作位置に相当する位置に凸部や突起物を備えた柔軟な補助シートを当該タッチパネルディスプレイ上に設置したり（特許文献２、３）して、使用者がこれらの補助ボタンや補助シートの凸部や突起物に手でタッチすると、使用者がその感触（操作感）を確実に認識して、所望の入力操作が確実に行われたことを確認することができるようにしている。これにより、使用者の操作感が向上するとともに、誤操作の防止が図られている。
【先行技術文献】
【特許文献】
【０００５】
【特許文献１】特開平１１−３２７７５６号公報
【特許文献２】特開平１１−１１０１１１号公報
【特許文献３】特開平０９−０１７２７８号公報
【考案の概要】
【考案が解決しようとする課題】
【０００６】
しかしながら、これらの特許文献に記載されているいずれの手段も、補助ボタンや補助シートをタッチパネルディスプレイ上に一旦設置すると、その位置でしか、これらの補助ボタンや補助シート（具体的には、それが備える凸部や突起物）を使用することができず、使用者が選択する機能や選択された機能の展開に応じてタッチパネルディスプレイ上に様々に表示・配置されてくる入力操作用のボタンの位置が変わると、その位置の変化に追随できず、新しい位置でのボタンの操作を補助するためにも引き続き使用することができるような汎用性のある入力操作補助手段とはなり得ていなかった。
【０００７】
本願の考案は、従来のタッチパネルディスプレイ用の入力操作補助手段が有する前記のような問題点を解決して、使用者が選択する機能や選択された機能の展開に応じてタッチパネルディスプレイ上に様々に表示・配置されてくる入力操作用のボタンの位置や形状や数がどのように変化しても、その位置の変化や形状の変化、数の変化に柔軟に対応して、新しい位置でのボタンの操作を補助するためにも引き続き使用することができ、これにより、使用者の操作感の向上や誤操作の防止を常に、確実に、容易に可能にすることができる、タッチパネルディスプレイ用の入力操作補助具を提供することを課題とする。
【課題を解決するための手段】
【０００８】
前記のような課題は、本願の実用新案登録請求の範囲の各請求項に記載された次のような考案により解決される。
すなわち、その請求項１に記載された考案は、情報機器端末が備えるタッチパネルディスプレイ上の様々な位置に、様々な形状で画面表示される少なくとも１個以上の入力操作用のボタンの操作を補助するために使用されるタッチパネルディスプレイ用の入力操作補助具であって、前記ボタンの形状に合った形状に形成され、前記ボタンの位置に着脱可能に貼着される少なくとも１個以上のボタン状シールからなることを特徴とするタッチパネルディスプレイ用の入力操作補助具である。
【０００９】
請求項１に記載された考案は、前記のように構成されているので、情報機器端末の使用者が選択する機能や選択された機能の展開に応じてタッチパネルディスプレイ上に様々に表示・配置されてくる少なくとも１個以上の入力操作用のボタンの位置や形状や数がどのように変化しても、その変化に柔軟に対応して、形状の変化や数の変化に合うようにボタン状シールを選択し、選択された１個もしくは複数個のボタン状シールを変化した位置に貼着することにより、これらのボタン状シールを新しい位置でのボタンの操作を補助するために引き続き使用することができる。これにより、使用者の操作感の向上や誤操作の防止を常に、確実に、容易に可能にすることができる。
【００１０】
また、その請求項２に記載された考案は、請求項１に記載のタッチパネルディスプレイ用の入力操作補助具において、そのボタン状シールが、透明な弱粘着シート素材からなることを特徴としている。
【００１１】
請求項２に記載された考案は、前記のように構成されているので、市販の安価な素材を利用して、これを適宜切断加工することにより、安価に、容易にボタン状シールを得ることができる。
【考案の効果】
【００１２】
本願の考案によれば、情報機器端末の使用者が選択する機能や選択された機能の展開に応じてタッチパネルディスプレイ上に様々に表示・配置されてくる入力操作用のボタンの位置や形状や数がどのように変化しても、その変化に柔軟に対応して、形状の変化や数の変化に合うようにボタン状シールを選択し、選択された１個もしくは複数個のボタン状シールを変化した位置に貼着することにより、これらのボタン状シールを新しい位置でのボタンの操作を補助するために引き続き使用することができ、使用者の操作感の向上や誤操作の防止を常に、確実に、容易に可能にすることができる。また、市販の安価な素材を利用して、安価に、容易にボタン状シールを得ることができる。
【図面の簡単な説明】
【００１３】
【図１】本実施例のタッチパネルディスプレイ用の入力操作補助具（ボタン状シール）が適用される携帯型情報機器端末の正面図である。
【図２】同入力操作補助具の形状の違いに応じた複数の種類を例示して示す図であって、（ａ）は平面視十字形状、（ｂ）は平面視円形状、（ｃ）は平面視横一形状の入力操作補助具をそれぞれ示す図である。
【図３】同携帯型情報機器端末のタッチパネルディスプレイに入力操作補助具が適用された状態を示す図１と同様の図である。
【図４】図１の携帯型情報機器端末が９０度回転されて横置きにされた状態を示す正面図である。
【図５】同携帯型情報機器端末のタッチパネルディスプレイに入力操作補助具が適用された状態を示す図４と同様の図である。
【考案を実施するための形態】
【００１４】
次に、本願の考案の一実施例について説明する。
本実施例のタッチパネルディスプレイ用の入力操作補助具が適用される携帯型情報機器端末（以下、「携帯端末」という。）は、例えば、最近、急速に普及が進んでいるアイフォーン（ｉＰｈｏｎｅ）（登録商標）と呼ばれる携帯端末であって、図１に示されるように、正面視矩形状のこのような携帯端末１の表面側には、その表面積の過半を越える広い領域に亘って、正面視矩形状のディスプレイ兼用タッチパネル（タッチパネルディスプレイ）２が設けられている。
【００１５】
携帯端末１には、種々の機能を実行させるための多数のソフトウエアが内蔵されており、これらのソフトウエアを種々に選択することにより、使用者は、電話、メール、インターネット、カメラ、テレビ、音楽、動画、ゲーム等の各種の機能を利用することができる。実際上は、これらの機能の一覧が、直接、タッチパネルディスプレイ２の初期画面上に表示される。同時に、それらの中からいずれかの機能を選択するための操作用ボタンが画面表示される。
【００１６】
そこで、使用者は、先ず、初期画面に現れた操作用ボタンを操作して、所望の特定の機能を選択する。例えば、ゲームを選択する。そうすると、次の画面には、当該ゲームの初期画面が表示されるとともに、このゲームを展開させて行く（遊ぶ）ための操作用ボタンとが表示される。図１には、このようにしてタッチパネルディスプレイ２上に画面表示された特定のゲームの初期画面と操作用ボタン３とが示されている。
【００１７】
この操作用ボタン３は、上下左右のボタン子３ａ、３ｂ、３ｃ、３ｄからなっており、全体としては、これらが、平面視十字の４つの頂点にそれぞれ配置された形状をなしている。使用者は、これらのボタン子を適宜選択的に操作することによって、当該ゲームを展開させて遊ぶことができる。
【００１８】
このように、タッチパネルディスプレイ２上には、携帯端末１に内蔵されている複数の機能の中から特定の機能を選択する段階、選択された機能を展開させる段階の各段階毎に、それぞれの段階に見合った操作対象画面と操作用ボタン３とが画面表示されることになる。
【００１９】
本実施例において、選択されたゲーム機能を展開させる（遊ぶ）段階では、使用者は、操作用ボタン３を操作するに際し、指でボタン子３ａ、３ｂ、３ｃ、３ｄのいずれかにタッチすることになるが、この際、使用者は、これらのボタン子がタッチパネルディスプレイ２の内部に収納されているので、このままでは、ボタン子を指で触った感触や指で動かした感触（押した感触）、すなわち、ボタン子の操作感、を十分に得ることができない。このため、これらのボタン子を自分の判断どおりに正確に選択して操作したかどうかを確認することができず、誤操作を生じ易い。
【００２０】
そこで、この十字形状のボタン３の上に、図２に示されるような十字形状のボタン状シール４を、図３に示されるように、タッチパネルディスプレイ２の上から貼り付ける。このボタン状シール４は、入力操作用ボタン３の操作を補助するための手段（入力操作補助具）として機能するものであって、ボタン３の形状（十字形状）に合った形状に形成され、ボタン３の位置に着脱可能に貼着される。その素材は、適宜厚みのある透明な弱粘着シートからできている。
【００２１】
したがって、使用者は、ボタン状シール４を透かしてボタン３の各ボタン子３ａ、３ｂ、３ｃ、３ｄの位置を確認して、いずれかのボタン子にタッチしようとすると、そのボタン子の位置に対応するボタン状シール４上の位置にタッチすることになる。このようにして、使用者は、ボタン子３ａ、３ｂ、３ｃ、３ｄをボタン状シール４を介してタッチ操作することができる。ボタン状シール４には厚みがあり、タッチパネルディスプレイ２の表面より浮き出ているので、使用者は、ボタン状シール４を介してボタン子３ａ、３ｂ、３ｃ、３ｄにタッチしたこと、これらを動かしたこと、すなわち、ボタン３の操作感、を確実に認識することができ、ボタン３に対して所望の入力操作を確実に行ったことを確認することができる。また、これにより、ボタン３の操作を誤ることも防がれる。
【００２２】
ボタン３の位置は、ゲームの進行に応じて図１及び図３に示される位置に止まるとは限らない。しかし、この場合でも、ボタン状シール４を剥がして、これを、位置を変えたボタン３の上に、タッチパネルディスプレイ２の上から、再度、貼り付ければ良い。
【００２３】
また、ボタン３の形状は、ゲームの進行に応じて図１及び図３に示される形状に止まるとは限らない。このような事態に備えるためには、図２（ｂ）、（ｃ）に示されるように、想定されるあり得る形状のものをその他にも幾種類か用意しておくのが良い。図２において、（ｂ）は円形状のボタン状シール５を、（ｃ）は横一形状のボタン状シール６をそれぞれ示している。ボタン状シール６は、左右に２個のボタン子が画面表示されるボタンに対して使用される。
【００２４】
さらに、ボタン３の数は、ゲームの進行に応じて図１及び図３に示されるように１個に止まるとは限らない。例えば、図４に示されるように、タッチパネルディスプレイ２上に２個（ボタン３−１、３−２）現れる場合もある。このような場合にも、それぞれのボタンの形状に合ったボタン状シール４、５を２つ選択して、これらをボタン３−１、３−２の上に、タッチパネルディスプレイ２の上から貼り付ける。
【００２５】
以上に述べたボタン状シール４〜６のような入力操作補助具が入力操作用ボタン３、３−１、３−２等の操作補助のために使用されるタッチパネルディスプレイ２は、何も携帯端末１に備えられるものに限られない。その他に、例えば、ゲームセンターのゲーム機、電子手帳等の機器に備えられるタッチパネルディスプレイであっても良い。
【００２６】
本実施例のタッチパネルディスプレイ用の入力操作補助具は、前記のように構成されているので、次のような効果を奏することができる。
携帯端末１の使用者が選択する機能や選択された機能の展開に応じてタッチパネルディスプレイ２上に様々に表示・配置されてくる入力操作用のボタン３、３−１、３−２の位置や形状や数がどのように変化しても、その変化に柔軟に対応して、形状の変化や数の変化に合うようにボタン状シール４〜６を適宜選択し、選択された１個もしくは複数個のボタン状シール４、５をボタン３、３−１、３−２の変化した位置にそれぞれ貼着することにより、これらのボタン状シール４、５を新しい位置でのボタン３、３−１、３−２の操作（入力操作）を補助するために引き続き使用することができる。これにより、使用者の操作感の向上や誤操作の防止を常に、確実に、容易に可能にすることができる。
【００２７】
また、ボタン状シール４〜６は、適宜厚みのある透明な弱粘着シート素材から製作されているので、市販の安価な素材を利用して、これを適宜切断加工することにより、安価に、容易にボタン状シール４〜６を得ることができる。
【００２８】
なお、ボタン状シール４〜６を不使用の場合には、これらを、携帯端末１の表面や裏面等の空いた面スペースに貼着しておくことにより、支障なく携帯端末１の携行や使用が可能である。
【００２９】
本願の考案は、以上の実施例に限定されず、その要旨を逸脱しない範囲において種々の変形が可能である。
【符号の説明】
【００３０】
１…携帯型情報機器端末（携帯端末）、２…タッチパネルディスプレイ、３…（入力操作用）ボタン、３ａ〜３ｄ…ボタン子、３−１、３−２…（入力操作用）ボタン、４〜６…ボタン状シール（入力操作補助具）。
【図１】
0003153606.tif 000003
【図２】
0003153606.tif 000004
【図３】
0003153606.tif 000005
【図４】
0003153606.tif 000006
【図５】
0003153606.tif 000007